(57)【要約】【課題】原稿と記録媒体を並列して排出することが可能で、かつ記録済みの記録媒体及び読み取った原稿への悪影響を抑制することができる、コンパクトで簡易な構成の画像読取記録装置を提供する。【解決手段】画像読取記録装置１は、原稿を搬送しながら原稿Ｓの画像を読み取り、原稿Ｓを重力で下方に排出する読取装置３と、読取装置３の下方に位置し、記録媒体Ｐを搬送しながら記録媒体Ｐに画像を記録し、記録媒体Ｐを重力で下方に排出する記録装置２と、記録媒体２の排出経路を原稿の排出経路から分離する可動部材１０と、を有している。可動部材１０は、原稿Ｓの排出経路が、少なくとも、原稿Ｓが読取装置３と記録装置との間の空間に排出される第１の排出経路３１と、原稿Ｓが記録装置３の側方に排出される第２の排出経路のいずれかを選択的にとるように作動する。【選択図】図３
2015154369.tif 000002
【特許請求の範囲】
【請求項１】
原稿を搬送しながら前記原稿の画像を読み取り、前記原稿を重力で下方に排出する読取装置と、前記読取装置の下方に位置し、記録媒体を搬送しながら前記記録媒体に画像を記録し、前記記録媒体を重力で下方に排出する記録装置と、前記記録媒体の排出経路を前記原稿の排出経路から分離する可動部材と、を有し、
前記可動部材は、前記原稿の排出経路が、少なくとも、前記原稿が前記読取装置と前記記録装置との間の空間に排出される第１の排出経路と、前記原稿が前記記録装置の側方に排出される第２の排出経路のいずれかを選択的にとるように作動する、画像読取記録装置。
【請求項２】
前記原稿の前端部を保持する保持部を有し、前記可動部材は、前記第１の排出経路に対応した第１の位置と、前記第２の排出経路に対応した第２の位置と、の間を移動可能に前記記録装置に取り付けられており、前記原稿は、前記可動部材が前記第１の位置にあるときは、前記前端部が前記保持部で保持された状態で変形させられながら前記空間に排出され、前記可動部材が前記第２の位置にあるときは、前記前端部が拘束されない状態で前記記録装置の側方に排出される、請求項１に記載の画像読取記録装置。
【請求項３】
前記可動部材は、前記第１の位置と前記第２の位置との間を回動軸の周りで回動可能に前記記録装置に取り付けられており、前記可動部材は、前記第１の位置では前記記録装置との間に凹状の前記保持部を形成する向きにあり、前記第２の位置では前記可動部材の先端部が前記回動軸からみて前記原稿の排出方向に位置する向きにある、請求項２に記載の画像読取記録装置。
【請求項４】
前記保持部はストッパ部材を有し、前記可動部材は、前記第１の位置と前記第２の位置との間を横方向に移動可能に前記記録装置に取り付けられており、前記可動部材は、前記第１の位置では前記原稿の前記前端部を前記ストッパ部材に誘導する位置にあり、前記第２の位置では前記原稿の前記前端部が前記ストッパの側方を通過する位置にある、請求項２に記載の画像読取記録装置。
【請求項５】
前記読取装置は排紙部にガイド部材を有し、前記ガイド部材は、前記原稿の前記前端部を前記可動部材の方向へ誘導し、前記第１の排出経路が選択されたときに、前記原稿の中央部を前記読取装置と前記記録装置との間の前記空間の入口から奥に押し出すように誘導する、請求項２から４のいずれか１項に記載の画像読取記録装置。
【請求項６】
前記第１の排出経路が選択されたときに、前記原稿は前記記録装置の天面上に載置される、請求項５に記載の画像読取記録装置。
【請求項７】
前記可動部材は、前記原稿の排出経路が、前記第１及び第２の排出経路に加えて、前記原稿が前記記録装置の下方に位置する収納部に排出される基準排出経路を選択的にとるように作動する、請求項１から６のいずれか１項に記載の画像読取記録装置。
【請求項８】
前記可動部材の動作を制御する制御部を有し、前記可動部材は、前記原稿の排出経路が、前記第１及び第２の排出経路に加えて、前記原稿が前記記録装置の下方に位置する収納部に排出される基準排出経路を選択的にとるように作動し、前記制御部は、前記読取装置が前記原稿の読取を開始すると、前記原稿の排出経路が前記基準排出経路から前記第１の排出経路に変更されるように前記可動部材を移動させる、請求項２から５のいずれか１項に記載の画像読取記録装置。
【請求項９】
前記第１の排出経路が選択されたとき前記原稿は前記記録装置の天面上に載置され、前記読取部は原稿読取部を通過した前記原稿の搬送方向長さを検知する長さ測定手段を有し、前記制御部は、前記長さ測定手段で測定された前記原稿の長さが前記原稿を前記記録装置の前記天面上で保持できる最大長さに達したときは、前記原稿の排出経路が前記第１の排出経路から前記第２の排出経路に変更されるように前記可動部材を移動させる、請求項８に記載の画像読取記録装置。
【請求項１０】
前記第１の排出経路が選択されたとき前記原稿は前記記録装置の天面上に載置され、前記読取部は原稿読取部を通過した前記原稿の搬送方向長さを検知する長さ測定手段を有し、前記制御部は、前記長さ測定手段で測定された前記原稿の長さが前記原稿を前記記録装置の前記天面上で保持できる最大長さと、前記保持部から前記原稿読取部までの前記第１の排出経路に沿った長さのいずれか短い方に達したときは、前記原稿の排出経路が前記第１の排出経路から前記第２の排出経路に変更されるように前記可動部材を移動させる、請求項８に記載の画像読取記録装置。
【請求項１１】
前記原稿が前記記録装置の前記天面上に載置されていることを検知する原稿検知センサを有し、前記原稿検知センサによって前記原稿が前記天面上に載置されていることが検知されたときは、前記読取装置は前記原稿の読取を中断し、前記原稿検知センサによって前記原稿が前記天面上に載置されていないことが検知されたときは、前記制御部は、前記原稿の排出経路が前記第１の排出経路から前記第２の排出経路に変更されるように前記可動部材を移動させる、請求項９または１０に記載の画像読取記録装置。
【請求項１２】
前記読取装置は原稿読取部を通過した前記原稿の搬送方向長さを検知する長さ測定手段を有し、前記制御部は、前記長さ測定手段で測定された前記原稿の長さが前記保持部から前記原稿読取部までの前記第１の排出経路に沿った長さに達した場合であって前記原稿読取部で前記原稿を読み取り中であるときは、前記原稿の排出経路が前記第１の排出経路から前記第２の排出経路に変更されるように前記可動部材を移動させる、請求項８に記載の画像読取記録装置。
【請求項１３】
前記読取装置は前記原稿を排紙する排紙ローラ対を有し、前記排紙ローラ対は、前記第２の排出経路が選択され前記原稿の読取が終わったときに前記原稿を保持する、請求項１から１２のいずれか１項に記載の画像読取記録装置。
【請求項１４】
読取装置で原稿を搬送しながら前記原稿の画像を読み取り、前記原稿を重力で下方に排出することと、前記読取装置の下方に位置する記録装置で記録媒体を搬送しながら前記記録媒体に画像を記録し、前記記録媒体を重力で下方に排出することと、前記原稿の排出経路を前記記録媒体の排出経路から分離する可動部材を作動させることと、を有し、
前記可動部材を作動させることは、前記原稿の排出経路が、少なくとも、前記原稿が前記読取装置と前記記録装置との間の空間に排出される第１の排出経路と、前記原稿が前記記録装置の側方に排出される第２の排出経路のいずれかを選択的にとるように前記可動部材を作動させることを含む、画像読取記録方法。
【請求項１５】
第１のシートに第１の処理を行い、排出する第１の処理装置と、
前記第１の処理装置の下方に配置され、第２のシートに第２の処理を行い、排出する第２の処理装置と、
前記第１の処理装置から排出される第１のシートの排出経路が、少なくとも、前記第１の処理装置と前記第２の処理装置との間の空間に排出される第１の排出経路と、前記第２の処理装置の側方に排出される第２の排出経路のいずれかを選択的にとるように作動するシート処理装置。
【発明の詳細な説明】
【技術分野】
【０００１】
本発明は、原稿の画像を読み取る読取装置と画像を記録する記録装置とを備えた画像読取記録装置と、原稿を読み取って記録する方法に関し、特に読み取った原稿の排出機構に関する。
【背景技術】
【０００２】
原稿の画像を読取装置で読み取り、読み取った画像を記録装置で記録媒体に記録する画像読取記録装置が一般的に知られている。特許文献１に開示されているように、このような画像読取記録装置では一般に、記録装置の上方に読取装置が配置されている。読取装置は、操作者が原稿を給紙口に挿入するため、操作し易い高さ及び空間が必要なためである。
【０００３】
読取済みの原稿と記録済みの記録媒体を別々の収納部に排紙する場合、広いスペースが必要になる。特に、サイズが大きい原稿及び記録媒体が使用される大判装置では、非常に大きな収納部が必要となり、装置のコンパクト化や簡易化が困難である。これを防ぐために、読取済みの原稿を記録済みの記録媒体の収納部に排出する装置も知られている。このような装置においては、読取済みの原稿と記録済みの記録媒体は、回収操作性を向上させるため、いずれも装置前方へ排出されるのが一般的である。
【先行技術文献】
【特許文献】
【０００４】
【特許文献１】特開２００４−２１６７０９号公報
【発明の概要】
【発明が解決しようとする課題】
【０００５】
画像読取記録装置では２つの使用方法、すなわち読取装置で読み取った画像をすぐに記録装置に転送し記録媒体上に記録する使用方法と、読取装置で読み取った画像をパソコン等に保存するだけで記録媒体上に記録しない使用方法と、が想定される。読取済みの原稿を記録済みの記録媒体の収納部に排出する場合、いずれの使用方法においても以下の問題が生じる。まず、前者の使用方法では、読取済みの原稿と記録済みの記録媒体がほぼ同じタイミングでそれぞれ読取装置と記録装置から排出される。このため、両者が接触し、記録済みの記録媒体の画像が乱れる可能性があり、読取済みの原稿が悪影響を受けることもある。後者のように、読取装置で読み取った画像をパソコン等に保存するだけであれば、読取済みの原稿を記録媒体の収納部に排出しても上述の問題は生じない。しかし、画像読取記録装置はネットワークプリンタとして使用されることが多く、あるユーザが読取装置で画像の読取りしか行わない場合でも、同時に別のユーザが画像データをパソコンから記録装置に転送することがあり得る。従って、いずれの使用方法でも、記録済みの記録媒体が読取済みの原稿と接触することにより、記録済みの記録媒体の画像が乱れたり、読取済みの原稿が悪影響を受けたりする可能性がある。
【０００６】
これを回避するためには、読取装置での原稿読取りが終了し、読取済みの原稿が収納部に収納された後、記録済みの記録媒体を排出させることが考えられる。これによって、読取済みの原稿と記録済みの記録媒体との接触を防止することができる。しかし、そのようなシーケンスでは、あるユーザが原稿の読取りを行っている場合に、別のユーザから記録装置に転送された画像の記録は読取済みの原稿が収納部に収納されるまで待たされることになる。読取りと記録の並行処理ができないため、読取り開始から記録終了まで非常に時間がかかる。このような問題を解決するために読取済みの原稿と記録済みの記録媒体を別々の収納部に排紙すれば、上述のように装置のコンパクト化や簡易化が困難となる。
【０００７】
本発明は、原稿と記録媒体を並列して排出することが可能で、かつ記録済みの記録媒体及び読み取った原稿への悪影響を抑制することができる、コンパクトで簡易な構成の画像読取記録装置を提供することを目的とする。
【課題を解決するための手段】
【０００８】
本発明の画像読取記録装置は、原稿を搬送しながら原稿の画像を読み取り、原稿を重力で下方に排出する読取装置と、読取装置の下方に位置し、記録媒体を搬送しながら記録媒体に画像を記録し、記録媒体を重力で下方に排出する記録装置と、記録媒体の排出経路を原稿の排出経路から分離する可動部材と、を有している。可動部材は、原稿の排出経路が、少なくとも、原稿が読取装置と記録装置との間の空間に排出される第１の排出経路と、原稿が記録装置の側方に排出される第２の排出経路のいずれかを選択的にとるように作動する。
【０００９】
本発明によれば、可動部材によって記録媒体の排出経路が原稿の排出経路から分離されるため、排出された原稿と記録媒体の干渉を回避することができる。この結果、本発明によれば、原稿と記録媒体を並行して排出することが可能となり、かつ記録済みの記録媒体への悪影響を抑制することができる。原稿の排出経路として第１の排出経路が選択された場合、読取装置と記録装置との間の空間が原稿の排出スペースとして利用される。このため、専用の収納部を設ける必要がなく、装置のコンパクト化及び簡易化が図れる。このような空間は有限であるため、原稿の大きさによっては読取装置と記録装置との間の空間に良好に収納できず、読み取った原稿が空間から落下したり、折り曲げられたりするなどの悪影響が生じる可能性がある。しかし、その場合には原稿が記録装置の側方に排出される第２の排出経路を選択することができる。従って、本発明によれば原稿への悪影響を抑制することもできる。
【発明の効果】
【００１０】
本発明によれば、原稿と記録媒体を並列して排出することが可能で、かつ記録済みの記録媒体及び読み取った原稿への悪影響を抑制することができる、コンパクトで簡易な構成の画像読取記録装置を提供することができる。
【図面の簡単な説明】
【００１１】
【図１】本発明の一実施形態に係る画像読取記録装置の斜視図である。
【図２】基準排出経路に沿って原稿が排出される状況を示す断面図である。
【図３】第１の排出経路に沿って原稿が排出される状況を示す断面図である。
【図４】第１の排出経路に沿って原稿が排出される状況を示す断面図である。
【図５】第１の排出経路に沿って原稿が排出される状況を示す断面図である。
【図６】第２の排出経路に沿って原稿が排出される状況を示す断面図である。
【図７】可動部材を電気的に動作させる機構の断面図である。
【図８】可動部材を電気的に動作させる際のシーケンスを示すフロー図である。
【図９】第２の実施形態における図２に対応する断面図である。
【図１０】第２の実施形態における図３に対応する断面図である。
【図１１】第２の実施形態における図６に対応する断面図である。
【発明を実施するための形態】
【００１２】
（第１の実施形態）
以下、図面を参照して本発明の画像読取記録装置の第１の実施形態について説明する。
【００１３】
図１は、画像読取記録装置１の斜視図である。画像読取記録装置１は、インクジェットプリンタとして構成される記録装置２と、スキャナとして構成される原稿の読取装置３と、を有している。画像読取記録装置１はさらに装置スタンド４と、読み取られた原稿及び画像が記録された記録媒体を選択的に収納する収納部５と、を有している。記録装置２と読取装置３は装置スタンド４に載置され、収納部５は装置スタンド４に取り付けられている。記録装置２は読取装置３の下方に、収納部５は記録装置２の下方に、それぞれ位置している。
【００１４】
図２〜６は、図１に示す画像読取記録装置１の断面図を示す。記録装置２は給紙部２ｂ、記録部２ｃ、排紙部２ｄから構成されており、これらは筐体２ａで覆われている。読取装置３は給紙部３ｂ、原稿読取部３ｃ、排紙ローラ対３ｄ、排紙部３ｅから構成されており、これらは筐体３ａで覆われている。記録媒体Ｐは、給紙部２ｂではロール状に巻かれている。記録媒体Ｐは、記録装置２の給紙部２ｂ、記録部２ｃ、排紙部２ｄの順に搬送され、収納部５に収納される。原稿Ｓは、読取装置３の給紙部３ｂ、原稿読取部３ｃ、排紙ローラ対３ｄ、排紙部３ｅの順に搬送される。排紙ローラ対３ｄは原稿Ｓを搬送して排紙部３ｅに排紙する。排紙された原稿Ｓは、筐体２ａの外部に設けられたガイド部材３ｆによって下方に導かれる。
【００１５】
記録装置２は、排紙部２ｄの上方に可動部材１０を有している。可動部材１０は記録装置２の筐体２ａの前面２ｅに取り付けられており、図１に示すように櫛歯形状を有している。可動部材１０は基準回動位置（基準位置ともいう）と、第１の回動位置（第１の位置ともいう）と、第２の回動位置（第２の位置ともいう）との間を、回動軸１１を中心に筐体２ａに対し回動することができ、かつそれぞれの回動位置で保持されることができる。この結果、可動部材１０は、原稿Ｓの排出経路が、基準回動位置に対応した基準排出経路３０と、第１の回動位置に対応した第１の排出経路３１と、第２の回動位置に対応した第２の排出経路３２のいずれかを選択的にとるように作動する。基準回動位置及び基準排出経路３０は図２に、第１の回動位置及び第１の排出経路３１は図３〜５に、第２の回動位置及び第２の排出経路３２は図６に、それぞれ図示されている。
【００１６】
次に、画像読取記録装置１の読取装置３の動作について説明する。図２は、読取装置３で読み取った原稿Ｓが基準排出経路３０に沿って排出される様子を示している。可動部材１０は基準回動位置、すなわち、先端部２０が回動軸１１からみて原稿Ｓが排出されてくる方向に位置する向きにある。可動部材１０は、好ましくは記録装置２の筐体２ａと密着している。読取装置３にセットされた原稿Ｓは、給紙部３ｂのローラ対で原稿読取部３ｃに搬送され、原稿読取部３ｃで原稿Ｓの画像が読み取られる。さらに原稿Ｓが搬送されると、原稿Ｓの前端部ＳＦは排紙ローラ対３ｄ、排紙部３ｅを通り、筐体３ａ外に排出される。原稿Ｓはその後、重力で下方に排出される。原稿Ｓは排紙部３ｅに設けられたガイド部材３ｆによって案内され、原稿Ｓの前端部ＳＦが可動部材１０の方向へ下方へ誘導される。可動部材１０は基準回動位置にあるため、原稿Ｓの動きを妨害しない。このため、原稿Ｓは記録装置２の筐体２ａの前面２ｅに沿って下方へ進み、記録装置２の下方に位置する収納部５に収容される。
【００１７】
図２は、記録装置２で記録媒体Ｐに記録する様子も示している。記録装置２は記録媒体Ｐを搬送しながら、不図示のパソコンから送信された画像を記録部２ｃで記録媒体Ｐに記録する。記録媒体Ｐは、排紙部２ｄから記録装置２の筐体２ａ外に排出され、さらに重力で下方に排出されて収納部５に収容される。可動部材１０は基準回動位置に保持されているため、記録装置２の排紙部２ｄの上方に張り出していない。このため、ユーザは記録媒体Ｐに記録された画像を容易に確認することができる。
【００１８】
図２は、便宜上原稿Ｓと記録媒体Ｐが同時に排出される様子を示しているが、原稿Ｓと記録媒体Ｐは同時に排出されない。これは原稿Ｓと記録媒体Ｐが接触し、記録媒体Ｐの印字に影響が生じることを防止するためである。
【００１９】
図３〜５は、読取装置３で読み取った原稿Ｓの画像を、記録装置２で記録媒体Ｐに記録する動作の流れを示している。原稿Ｓは図２と異なり、第１の排出経路３１に沿って排出される。記録装置２の動作及び記録媒体Ｐの動きは図２で説明したのと同じである。しかし、可動部材１０が記録媒体Ｐの排出経路を原稿Ｓの排出経路から分離するため、記録装置２の記録動作と読取装置３の読み込み動作は同時に行われ、原稿Ｓの排出と記録媒体Ｐの排出は並行して行われる。
【００２０】
図３を参照すると、可動部材１０は図２に示す基準回動位置から回動軸１１を中心に、反時計回りに回動されて第１の回動位置に保持されている。第１の回動位置では、可動部材１０は記録装置２の前面２ｅとの間に凹状の保持部１９ないしポケットを形成する向きにある。第１の回動位置は特に限定されないが、原稿Ｓの落下を防止するため、先端部２０が回動軸１１より上方に位置する向きにある。
【００２１】
読取装置３の動作は図２で説明したのと同様である。原稿Ｓの動きも、排紙部３ｅを通り、重力で下方に排出されるまでは図２で説明したのと同様である。その後、原稿Ｓは排紙部３ｅに設けられたガイド部材３ｆによって案内され、原稿Ｓの前端部ＳＦが可動部材１０の方向へ誘導される。原稿Ｓは第１の回動位置にある可動部材１０または筐体２ａの前面２ｅに当接し、可動部材１０または筐体２ａの前面２ｅに沿って滑りおち、保持部１９で保持ないし規制される。保持部１９は通常、可動部材１０と記録装置２の前面２ｅとによって形成される凹状のポケットの最下部、すなわち回動軸１１の付近にある。
【００２２】
一方、記録装置２では、原稿読取部３ｃで読み取られた原稿Ｓの画像が、記録部２ｃで記録媒体Ｐに記録される。記録媒体Ｐの前端部ＰＦは、排紙部２ｄから記録装置２の筐体２ａ外に排出され、収納部５に導かれる。
【００２３】
図４を参照すると、原稿Ｓがさらに搬送され、原稿読取部３ｃでの読み取りが終了する。原稿Ｓは前端部ＳＦを保持部１９で規制ないし保持された状態で、排紙ローラ対３ｄによりさらに排出される。そして、ガイド部材３ｆの作用により、原稿Ｓが記録装置２と読取装置３との間の空間１４に排出され、変形させられながら空間１４内を搬送される。すなわち、原稿Ｓの前端部ＳＦが保持部１９で保持されている状態で原稿Ｓが排紙ローラ対３ｄから排出されるため、図４に破線で示される様に、原稿Ｓが徐々に右側へ膨らむように変形させられる。原稿Ｓがさらに搬送されると、原稿Ｓは記録装置２と読取装置３の間の空間１４を、入口１５から奥に押し出されるように誘導され、図の右方向へ進む。そして、原稿Ｓの後端部ＳＥが、排紙ローラ対３ｄを通って読取装置３の外部に排出される。
【００２４】
一方、記録装置２では、図３で説明したのと同様に、原稿読取部３ｃで読み取られた原稿Ｓの画像が、記録部２ｃで記録媒体Ｐにさらに記録される。
【００２５】
図５を参照すると、原稿Ｓの後端部ＳＥが読取装置３の外部に排出されると、原稿Ｓ自体の弾性復元力により、原稿Ｓの後端部ＳＥが中央部を追い越して右方向（読取装置３の奥の方）に進む。これによって原稿Ｓの変形が解消され、原稿Ｓは最終的に記録装置２の筐体２ａの天面２ｇ上に載置される。
【００２６】
筐体２ａの前面２ｅが傾斜しているため、原稿Ｓの前方部分が筐体２ａの前面２ｅに載置され、原稿Ｓの後方部分が筐体２ａの裏側に垂れ下がる。これによって、筐体２ａの天面２ｇの奥行きより長い原稿Ｓを筐体２ａの天面２ｇに載置することが可能となる。
【００２７】
図１に示されているように、筐体２ａの天面２ｇは、搬送方向に延びる複数のリブ２ｈが設けられている。リブ２ｈの代わりに天面２ｇの前方縁部に凹みを設けてもよい。これによって、操作者が載置された原稿Ｓを容易に取り出すことができる。
【００２８】
一方、記録装置２では、記録媒体Ｐが不図示のカッタで切断され、収納部５内に収納される。記録済の記録媒体Ｐは、原稿Ｓと接触することなく収納部５に収納されるため、記録媒体Ｐが原稿Ｓと擦れて画像が乱れることが防止される。
【００２９】
図６は、所定の値（ある定形サイズの長さ）以上の搬送方向長さを有している原稿Ｓが排出される様子を示している。原稿Ｓは第２の排出経路３２に沿って排出される。可動部材１０は図３〜５に示す第１の回動位置から、回動軸１１を中心にさらに反時計回りに回動されて、第２の回動位置に保持されている。第２の回動位置では、可動部材１０の先端部２０は回動軸１１からみて原稿Ｓの排出方向に位置する向きにある。
【００３０】
読取装置３にセットされた原稿Ｓは、給紙部３ｂのローラ対で原稿読取部３ｃに搬送されて画像が読み取られる。原稿Ｓの前端部ＳＦは排紙ローラ対３ｄ、排紙部３ｅを通り、筐体３ａ外に排出される。その後、排紙部３ｅに設けられたガイド部材３ｆにより、原稿Ｓは下方に案内される。
【００３１】
可動部材１０が図３〜５に示す第１の回動位置に保持されていると、原稿Ｓは記録装置２の筐体２ａの天面２ｇ上に案内される。しかし、原稿Ｓが所定の値（ある定形サイズの長さ）以上の搬送方向長さを有していると、原稿Ｓは図５に示すような良好な形態で記録装置２の筐体２ａの天面２ｇ上に載置されない可能性がある。すなわち、原稿Ｓの後端部ＳＥが記録装置２の後方に滑り落ち、あるいは原稿Ｓが折り曲げられて重なり合う可能性がある。
【００３２】
そこで、所定の値以上の搬送方向長さを有する原稿Ｓを排出する際は、可動部材１０は第２の回動位置に回動され、第２の回動位置に保持される。第２の回動位置は特に限定されないが、図３〜５に示すポケットができない角度、すなわち可動部材１０の先端部２０が回動軸１１より下方に位置する角度であればよい。好ましくは、可動部材１０は、図示されているように収納部５の上面をほぼ塞ぐ位置まで回動する。原稿Ｓと可動部材１０のなす角度θが小さいため、原稿Ｓの前端部ＳＦが可動部材１０に接触したときに原稿Ｓの前端部ＳＦは可動部材１０に拘束されない。このため、原稿Ｓは可動部材１０に沿って下方へ搬送される。可動部材１０が収納部５の上面を塞いでいるため、原稿Ｓは記録装置２の側方を通って収納部５の外側へ案内される。原稿読取部３ｃで原稿Ｓの後端部ＳＥまで読み取りが終了すると、排紙ローラ対３ｄの回転が停止される。これによって、原稿Ｓは落下することなく排紙ローラ対３ｄで保持される。
【００３３】
原稿読取部３ｃで読み取られた原稿Ｓの画像は、記録装置２に送られ、記録部２ｃで記録媒体Ｐ上に記録される。記録装置２の動作は前述のとおりである。記録済の記録媒体Ｐは、原稿Ｓと接触することなく収納部５に収納されるので、擦れて画像が乱れることはない。
【００３４】
以上説明した可動部材１０の回動操作はユーザが手動で行うこともできるが、電気的に行うこともできる。図７には、可動部材１０を電気的に動作させるための機構を示す。読取装置３は上述の実施形態と同じであるため、図７には記録装置２のみを示している。ギア１２は回動軸１１と同軸に設けられており、ギア１２が回転することで可動部材１０が回動軸１１の周りを回動する。ギア１３はギア１２及びギア１４と噛み合っており、ギア１４とギア１５は共通の軸を中心に一体的に回転する。ギア１６は駆動モータ１７の駆動軸に圧入されており、ギア１５と噛み合っている。駆動モータ１７、従って可動部材１０は制御部２１によって制御される。記録装置２の筐体２ａの天面２ｇには原稿検知センサ１８が設けられている。原稿検知センサ１８は発光部と受光部を備え、筐体２ａの天面２ｇに原稿Ｓがあるか否かを検知することができる。
【００３５】
制御部２１によって駆動モータ１７が矢印の方向（時計方向）に回転させられると、各ギア１２〜１６が順次駆動され、可動部材１０が回動軸１１を中心に反時計方向に回動する。逆に制御部２１によって駆動モータ１７が矢印と反対の方向（反時計方向）に回転させられると、可動部材１０は回動軸１１を中心に時計方向に回動する。可動部材１０は、駆動モータ１７及びギア１２〜１６の作用により、基準回動位置、第１の回動位置及び第２の回動位置に回動可能であり、かつその位置に保持されることができる。
【００３６】
図８は、可動部材１０を電気的に動作させる場合のシーケンスを表すフロー図である。上述した画像読取記録装置１の動作を、図８を参照して説明する。
【００３７】
読取装置３において原稿Ｓの読取りが開始（ステップＳ１）されると、制御部２１は、原稿Ｓの排出経路が基準排出経路３０から第１の排出経路３１に変更されるように、可動部材１０を移動させる（ステップＳ２）。具体的には、駆動モータ１７が図７の矢印方向（時計方向）に回転させられ、ギア１２〜１６の作用により、基準回動位置にある可動部材１０が第１の回動位置へ移動する。
【００３８】
次に、読取装置３は原稿Ｓの前端部ＳＦから原稿読取部３ｃまでの距離、すなわち原稿読取部３ｃを通過した原稿Ｓの搬送方向長さＬを計測する（ステップＳ３）。搬送方向長さＬは原稿Ｓ自体の全長ではなく、原稿Ｓの、原稿読取部３ｃを通過した部分の長さである。原稿Ｓの搬送方向長さＬの計測は読取装置３の長さ計測手段２０で行われる。長さ計測手段２０は読取装置３に組み込まれたソフトウエアとして構成することができる。長さ計測手段２０は、原稿Ｓの前端部ＳＦを検知してからの経過時間、原稿Ｓの搬送速度などから、搬送方向長さＬを一定の時間間隔で算出し、制御部２１に送信する。
【００３９】
制御部２１は、搬送方向長さＬが所定の値（ある定形サイズの長さ）に達したかどうかを判定する（ステップＳ４）。所定の値（ある定形サイズの長さ）は、読取済みの原稿Ｓを、記録装置２の筐体２ａの天面２ｇ上で良好に保持できる最大長さのことである。最大長さを上回る原稿Ｓは、記録装置２の筐体２ａの天面２ｇ上に良好に載置されない可能性がある。具体的には、原稿Ｓの後端部ＳＥが記録装置２の後方に滑り落ちたり、後端部ＳＥが右方向へ移動せず、原稿Ｓが二つ折りになって載置されたりする可能性がある。搬送方向長さＬが所定の値（ある定形サイズの長さ）に達しない場合は、原稿読取動作を継続するとともに、搬送方向長さＬを監視する。
【００４０】
原稿Ｓの搬送方向長さＬが所定の値（ある定形サイズの長さ）に達することなく読取りが終了（ステップＳ５）した場合、すなわち原稿Ｓ自体の長さが、記録装置２の天面２ｇ上に良好に載置可能な長さである場合は、以下のステップ６〜８が行われる。まず、原稿検知センサ１８により筐体２ａの天面２ｇ上に読取済みの原稿Ｓがあるかどうかが検知される（ステップＳ６）。読取済みの原稿Ｓが筐体２ａの天面２ｇ上にあり、次の原稿Ｓがある場合（ステップＳ８）は、読取装置３は次の原稿Ｓの読取りが開始されるのを待つ。可動部材１０は基準回動位置に戻されず第１の回動位置に保持されるため、複数枚の原稿Ｓを連続的に読み込み、記録装置２の筐体２ａの天面２ｇ上に連続的に排出することができる。読取済みの原稿Ｓがユーザによって除去された場合は、駆動モータ１７が矢印と反対方向（反時計方向）に回転させられ、ギア１２〜１６の作動により可動部材１０が基準回動位置に戻される（ステップＳ７）。その後、読取装置３は次の原稿Ｓの読取りが開始されるのを待つ（ステップＳ８）。可動部材１０が基準回動位置に戻される際は、このように事前に筐体２ａの天面２ｇ上に読取済みの原稿Ｓがあるかどうかが確認されるため、原稿Ｓが損傷することが防止される。
【００４１】
ステップＳ４で原稿Ｓの搬送方向長さＬが所定の値（ある定形サイズの長さ）に達したと判定された場合、すなわち、読取済みの原稿Ｓを記録装置２の筐体２ａの天面２ｇ上に良好に載置することができない場合は、以下のステップ９〜１５が行われる。まず、原稿検知センサ１８により、筐体２ａの天面２ｇ上に読取済みの原稿Ｓが載置されているか否かが検知される（ステップＳ９）。これは、読取済みの原稿Ｓがあると、可動部材１０を第２の回動位置に移動させた際に、筐体２ａの天面２ｇ上の読取済みの原稿Ｓが落下する可能性があるためである。原稿Ｓが天面２ｇ上に載置されていることが検知されたときは、読取装置３は原稿Ｓの読取りを中断する（ステップＳ１０）。
【００４２】
筐体２ａの天面２ｇ上に読取済みの原稿Ｓがない場合は、制御部２１は駆動モータ１７を矢印方向（時計方向）に回転させ、ギア１２〜１６の作動により、可動部材１０を第２の回動位置へ移動させる（ステップＳ１１）。ユーザによって読取済みの原稿Ｓが除去された場合も同様である。こうして、原稿Ｓの排出経路が第１の排出経路３１から第２の排出経路３２に変更されると、原稿読取部３ｃは原稿Ｓの読取りを継続または再開する（ステップＳ１２）。原稿Ｓが後端部ＳＥまで読み取られると（ステップＳ１３）、排紙ローラ対３ｄが停止させられ（ステップＳ１４）、原稿Ｓを落下しないように保持する。ユーザが原稿Ｓを排紙ローラ対から外した（ステップＳ１５）後、読取装置３は次の原稿Ｓの読取りが開始されるのを待つ。
【００４３】
上述の通り、可動部材１０の位置は、原稿Ｓの前端部ＳＦが可動部材１０の回動軸１１に到達するまでに決定されることが望ましい。原稿Ｓの前端部ＳＦが可動部材１０の保持部１９（回動軸１１）に到達すると原稿Ｓが変形を始め、弾性反発力が生じる。その後に可動部材１０を第２の回動位置に移動させると、原稿Ｓの弾性反発力によって、原稿Ｓが第２の排出経路３２に沿って排出されない可能性がある。そこで、原稿Ｓの搬送方向長さＬの所定の値を、原稿読取部３ｃから排紙ローラ対３ｄを通り、可動部材１０の保持部１９（回動軸１１）までの第１の排出経路３１に沿った長さとして規定することもできる。言い換えれば、長さ測定手段２０で測定された原稿Ｓの搬送方向長さＬが上記長さに達した場合、原稿読取部３ｃで原稿Ｓを読み取り中であれば、その時点で原稿Ｓの搬送方向長さＬが所定の値（ある定形サイズの長さ）に達したと判断することができる。これによって、可動部材１０は第２の回動位置に移動させられ、原稿Ｓの排出経路が第１の排出経路３１から第２の排出経路３２に変更される。
【００４４】
原稿Ｓの搬送方向長さＬの所定の値を、原稿Ｓを記録装置２の天面２ｇ上で保持できる最大長さと、保持部１９から原稿読取部３ｃまでの第１の排出経路３１に沿った長さのいずれか短い方として規定することもできる。原稿Ｓの搬送方向長さＬが両者のいずれか短い方に達したときに、可動部材１０を第２の回動位置に移動させ、原稿Ｓの排出経路を第１の排出経路３１から第２の排出経路３２に変更することができる。
【００４５】
（第２の実施形態）
図９〜１１を参照して本発明の第２の実施形態に係る画像読取記録装置を説明する。本実施形態の読取装置は第１の実施形態と同じなので、図９〜１１には記録装置１０２のみを示している。記録装置１０２は、筺体１０２ａで覆われており、前面１０２ｅにストッパ部材からなる保持部１１２を有している。可動部材１１０は、基準排出経路１３０に対応した基準位置と、第１の排出経路１３１に対応した第１の位置と、第２の排出経路１３２に対応した第２の位置と、の間を横方向に移動可能に記録装置２に取り付けられている。可動部材１１０は、筺体１０２ａの前面１０２ｅを貫通して、記録装置１０２の筺体１０２ａに対し概ね水平方向に相対移動することができる。可動部材１１０は、筺体１０２ａの前面１０２ｅを貫通する本体１１０ａと、本体１１０ａに接続され、原稿Ｓに当接する先端部１１０ｂを有している。原稿Ｓの先端部１１０ｂは本体１１０ａに対し斜め下方に延びている。
【００４６】
図９を参照すると、可動部材１１０は途中まで引き出された基準位置にある。記録装置１０２から排出された原稿Ｓは、可動部材１１０により、記録装置１０２の下方に配置された収納部５に導かれ、収納される。図９は第１の実施形態の図２に対応している。
【００４７】
図１０を参照すると、可動部材１１０は記録装置１０２の筺体１０２ａに完全に収納された第１の位置にある。原稿Ｓの動きを妨げないために、可動部材１１０の外面１１０ｃは筺体１０２ａの前面１０２ｅと同一面内にある。これを実現するため、可動部材１１０の先端部１１０ｂは、記録装置１０２の前面１０２ｅと同じ角度で傾斜している。可動部材１１０は原稿Ｓの前端部ＳＦをストッパ部材１１２に誘導し、原稿Ｓの前端部ＳＦはストッパ部材１１２の最下部に当接している。この状態は第１の実施形態の図３と同じである。原稿Ｓは、第１の実施形態と同様、図４，５に示すように排出され、最終的に記録装置１０２の筺体１０２ａの天面１０２ｇ上に載置される。
【００４８】
図１１を参照すると、可動部材１１０は最も外側に引き出された第２の位置にある。原稿Ｓの前端部ＳＦは可動部材１１０の作用により、ストッパ部材１１２の側方を通過し、収納部５の外側に導かれる。この状態は、第１の実施形態の図６と同じである。
【００４９】
以上説明した各実施形態に係る画像読取記録装置によれば、原稿の搬送方向長さＬが所定の値（ある定形サイズの長さ）に達しない場合は、記録装置に設けた可動部材により、読取済の原稿を記録装置の筐体の天面上に載置することができる。読取済の原稿が記録済の記録媒体と接触しないため、記録媒体に記録された画像が乱れることが防止される。複数枚の原稿を連続的に読み取る場合も、複数の原稿を記録装置の筐体の天面に載置することができるため、操作性が向上する。
【００５０】
原稿の搬送方向長さＬが所定の値（ある定形サイズの長さ）に達した場合は、可動部材を移動させ、原稿を記録済みの記録媒体を収納する収納部の外側に導くことができる。この場合も、可動部材によって読取済の原稿の排出路が記録済みの記録媒体の排出路から分離されるため、読取済の原稿が記録済の記録媒体と接触して記録媒体に記録された画像が乱れることが防止される。
【００５１】
上記いずれの場合も、原稿用と記録媒体用にそれぞれ専用の収納部（積載トレイ）を設ける必要がないため、省スペース化と画像読取記録装置の簡素化が達成できる。、画像読取りと記録媒体への記録が並行に処理できるので、画像を読取ってから記録媒体に記録するまでに要する時間を短縮することが可能となる。
【００５２】
上記実施形態では、記録装置とその上に配置された読取装置を有する画像読取記録装置が例示されていたが、記録装置と読取装置の上下を逆にしてもよい。また記録装置と読取装置以外にも、シートに処理を行う複数のシート処理装置（第１の処理装置と第２の処理装置）に対しても本発明は適用可能である。すなわち、第１の処理装置は第１のシートに第１の処理を行い、第１のシートの排出経路で第１のシートを排出する。第２の処理装置は、第１の処理装置の下方に配置され、第２のシートに第２の処理を行い、第２のシートを排出する。そしてシート処理装置は、第１のシートの排出経路が、少なくとも、第１の処理装置と第２の処理装置との間の空間に排出される第１の排出経路と、第２の処理装置の側方に排出される第２の排出経路のいずれかを選択的にとるように作動する。
【符号の説明】
【００５３】
１  記録装置
２  読取部
１０  可動部材
１４  空間
３１  第１の排出経路
３２  第２の排出経路
【図１】
2015154369.tif 000003
【図２】
2015154369.tif 000004
【図３】
2015154369.tif 000005
【図４】
2015154369.tif 000006
【図５】
2015154369.tif 000007
【図６】
2015154369.tif 000008
【図７】
2015154369.tif 000009
【図８】
2015154369.tif 000010
【図９】
2015154369.tif 000011
【図１０】
2015154369.tif 000012
【図１１】
2015154369.tif 000013